(57)【要約】      （修正有）【課題】口、鼻に加えて目からの感染防止もできるメガネ一体型口鼻マスクを提供する。【解決手段】メガネ一体型口鼻マスク１は、メガネのブリッジ部４に鼻と口を最小範囲で覆う口鼻部マスク３が装着されている。メガネ一体型口鼻マスクをかけることで、一度に目、鼻、口を覆い、飛沫の飛散と侵入を防止する。口鼻部マスク３の鼻部は鼻に沿った膨らみのある形状で、口部は前面の空間が広く、下側が解放されているので、喋る時の声の籠り、息苦しさ、そして、マスクが下にずれるといったことが解消される。また、顔を覆う部分を透明にすると、相手に着用者の口の動きや顔全体の表情が見えるので意思疎通を図り易い。【選択図】図１
0003234273.tif 000002
【実用新案登録請求の範囲】
【請求項１】
メガネと連結したマスクであって、メガネとメガネのブリッジ部に装着された口と鼻を最小範囲で被覆する口鼻部マスクからなるメガネ一体型口鼻マスク。
【請求項２】
メガネのフロント部と口鼻部マスクは、透明もしくは色付きのプラスチックで成形され、口鼻部マスクの鼻部は鼻のラインに沿った膨らみのある形状で、口部は前面の空間が広く、下側が解放されている形状であることを特徴とする請求項１に記載するメガネ一体型口鼻マスク。
【請求項３】
口鼻部マスクは、メガネに装着するブリッジ部で下向き角度調整と脱着が可能であることを特徴とする請求項１に記載するメガネ一体型口鼻マスク。
【考案の詳細な説明】
【技術分野】
【０００１】  本考案は、マスク着用時に生じる不快感を解消するメガネ一体型口鼻マスクに関するものである。
【背景技術】
【０００２】  これまで、一般的な家庭用マスクの主流は、不織布を使用した使い捨てマスクや、ガーゼや綿織物を主体とした洗濯可能な布マスクであったが、最近は、顔全体又は口鼻部を保護するフェースシールドも使用され、布マスクについても様々な形と色、そしてデザインが施され、ファッショナブルなマスクが増えている。また、マスクを長時間着用することにより生じる不快感や苦痛を解消する新しいマスクの装着方法も考案されている。例えば特許文献１では、メガネを掛けながら装着するマスクが提案されている。この考案は、マスクの耳掛け部をメガネ左右のつるに装着し、且つ、装着部はつるに沿って移動出来る為、マスクと口鼻部との間隔が調整可能となっている。
【先行技術文献】
【特許文献】
【０００３】
【特許文献１】実用新案登録第３２２７８３２号公報
【考案の概要】
【考案が解決しようとする課題】
【０００４】  しかしながら、特許文献１の考案は、口鼻を覆うマスク部が広いため、例え口鼻部とマスクの間隔を調整できても、息苦しさと暑苦しさが生じる。また、着用者の表情が図り難い上、このマスク着用の際は一切の飲食が不可能であり、メガネを外した時の保持、保管にもスペースを要する。【０００５】  本考案は、前記課題を解決する為、メガネのブリッジ部に鼻と口を最小範囲で覆う口鼻部マスクを装着し、メガネを掛けることにより、快適な状態で感染予防ができるコンパクトなマスクを提案する。
【課題を解決するための手段】
【０００６】  フロント部が透明もしくは色付きのメガネのブリッジ部に鼻と口を最小範囲で覆う透明もしくは色付きの口鼻部マスクが装着されており、メガネをかけることにより、一度に目、鼻、口を覆い、飛沫の飛散と侵入を防ぐことが出来る。メガネは手で無意識に目に触れることを防ぎ、口鼻部マスクの鼻部は鼻のラインに沿った膨らみのある形状で、口部は前面の空間が広く、下側は解放されているので、喋る時の声の籠り、息苦しさ、そして、マスクが下にずれるといったことが解消され、吐息でメガネが曇ることもない。また、顔を覆う部分を全て透明にすると、相手に着用者の口の動きや顔全体の表情が見えるので意思疎通を図り易い。更に、口鼻部マスクは、メガネとの装着部で下向き角度調整が可能で、マスク口部の下側が開放されているため、マスク着用のままで飲み物のストローによる吸引が可能で、食事等でメガネを外す際は、メガネを畳むことでコンパクトな形で保持、保管ができる。【０００７】  メガネのフロント部と口鼻部マスクはそれぞれ透明型と色付き型があり、口鼻部マスクはメガネから脱着できるため、組合せが可能である。
【考案の効果】
【０００８】  メガネに装着した軽量でコンパクトなマスクで、メガネを掛ける事により目、鼻、口を覆い、不快感無く快適な状態で感染予防ができ、廉価で繰り返し使用できる。【０００９】
【図面の簡単な説明】
【００１０】
【図１】本考案の透明型のメガネ一体型口鼻マスクの実施例を示す斜視図である。
【図２】本考案の透明型のメガネ一体型口鼻マスクの実施例を示す側面図である。
【図３】本考案のメガネ一体型口鼻マスクの斜視図である。
【考案を実施するための形態】
【００１１】  本考案の実施例を図面に基づいて詳細に説明する。
【実施例】
【００１２】  図１は、本考案の透明型のメガネ一体型口鼻マスク１の実施例を示す斜視図である。図１に示すように、メガネのフロント部２と口鼻部マスク３は、透明のプラスチックで成形されており、相手に着用者の目、口の動きなど表情が見え、支障なく意思疎通が図れる。また、口鼻部マスク３は、口と鼻を最小範囲で覆い、且つ、顔面との間隔を調整できるため、息苦しさや暑苦しさを解消できる。【００１３】  図２は、本考案の透明型のメガネ一体型口鼻マスク１の実施例を示す側面図である。口鼻部マスク３は、メガネのブリッジ部４に装着されており、装着部の操作で下向き角度を変える事が出来、顔面との間隔調整が可能である。また、口鼻部マスク３の口部の下側が開放されているため、声の籠りも解消され、吐息は下側に抜ける為メガネが曇ることもなく、ストローによる飲み物の吸引が可能である。【００１４】  図３は、本考案のメガネ一体型口鼻マスク１の斜視図である。メガネフロント部２と口鼻部マスク３はプラスチックで成形されて軽量であるため、メガネを支える耳とメガネのパッド５が当たる鼻への負担が軽い。また、メガネのブリッジ部４に装着された口鼻部マスク３は下向き角度の調整が可能で、取り外して他のメガネに装着することができる。メガネを折り畳むとコンパクトな形となるため、保持、保管が容易で、繰り返し使用できる。メガネのフロント部２と口鼻部マスク３はそれぞれ透明型と色付き型があり、その日の天候、行動内容に応じて自由な組み合わせが可能である。
【符号の説明】
【００１５】１  メガネ一体型口鼻マスク
２  メガネのフロント部
３  口鼻部マスク
４  メガネのブリッジ部
５  メガネのパッド
【図１】
0003234273.tif 000003
【図２】
0003234273.tif 000004
【図３】
0003234273.tif 000005
【手続補正書】
【提出日】令和3年4月1日(2021.4.1)
【手続補正１】
【補正対象書類名】実用新案登録請求の範囲
【補正対象項目名】全文
【補正方法】変更
【補正の内容】
【実用新案登録請求の範囲】
【請求項１】
メガネと連結したマスクであって、メガネとメガネのブリッジ部に装着された口と鼻を最小範囲で被覆する口鼻部マスクからなるメガネ一体型口鼻マスク。
【請求項２】
メガネのフロント部と口鼻部マスクは、透明もしくは色付きのプラスチックで成形され、口鼻部マスクの鼻部は鼻のラインに沿った膨らみのある形状で、口部は前面の空間が広く、下側が解放されている形状であることを特徴とする請求項１に記載するメガネ一体型口鼻マスク。
【請求項３】
口鼻部マスクは、メガネのブリッジ部をはめ込んでメガネに装着され、メガネのブリッジ部の操作で口鼻部マスクの下向き角度調整と脱着が可能であることを特徴とする請求項１に記載するメガネ一体型口鼻マスク。